(57)【要約】      （修正有）【課題】従来の枕にはない遊び心を誘発する枕を提供する。【解決手段】赤、青、黄、橙、白、無色等各色に着色された又は図柄を収縮フィルムによりプリントした変形パイプビーズ２から構成する中材を透明度の高いシートのみで作られた側地１又は透明度の高いシートと生地で柄を構成して作られた側地１に充填して作られ、または、中材である変形パイプビーズに蓄光剤又は蛍光剤を塗布又は練り込んだ枕兼クッション。【選択図】図１
0003113312.tif 000002
【実用新案登録請求の範囲】
【請求項１】
赤、青、黄、橙、白、無色等各色に着色された又は図柄を収縮フィルムによりプリントした変形パイプビーズから構成する中材を透明度の高いシートのみで作られた側地又は透明度の高いシートと生地で柄を構成して作られた側地に充填して作られたことを特徴とする枕兼クッション
【請求項２】
請求項１に記載の中材である変形パイプビーズに蓄光剤又は蛍光剤を塗布又は練り込んだことを特徴とする請求項１に記載の枕兼クッション
【考案の詳細な説明】
【技術分野】
【０００１】  掛け布団、敷き布団、シーツ、枕等の寝具分野及びカーテン、シート、マット、カーペット、クッション等のインテリア分野
【背景技術】
【０００２】  寝具及びインテリア分野のうち繊維製品を中心とした小物製品を対象とする技術分野であり、従来、数多の開発商品、新商品を生み出されている。機能性、ファッション性、使用感など多角的に商品化されている。枕及びクッションの側地、中材、形態から構成される製品の中でも視覚的に情趣を安定させる又は高揚させる機能を目的とした製品は少ない。現代のストレス社会では生活に精神的ゆとりをもたらすことは極めて重要なことである。枕及びクッションの固有の機能（寝心地、座り心地）という従来の商品的な角度から外れて、人の心を癒す視点から商品開発を推進することは時代の要請であるが、枕及びクッションの分野において、そのような視点から作られている商品は決して多いとは言えない。生活に直結した商品の問題点、欠点を解決する技術ではなく、人間の情感や心理的面の改善を指向する技術を背景とする。【０００３】  本考案に関して特許及び実用新案を検索した結果、類似又は該当する商品はみあたらなかった。
【考案の開示】
【考案が解決しようとする課題】
【０００４】  前述のごとく本考案は枕及びクッションに対し視覚的に人の心を癒すという視点から新商品の開発を進め、ストレスの解消、ゆとりある生活を追求することを目的にしている。特に一般家庭、ホテル、働く場において癒しの空間を作ることによって、如何に、より豊かな日常生活を送ることができるか、目的とする開発商品が物へのこだわりではなく、人の心又は情感にこだわることが本考案の課題である。本考案ではこの範疇に入る枕及兼クッションを開発し、課題を解決しようと試みるものである。
【課題を解決する手段】
【０００５】  本考案は枕及びクッションに遊び心をもたらすことによって、心の癒しを与えることを目的にして開発されたものである。本考案の枕兼クッションは図１、図２に示すごとくに、
側地１が透明なシート５のみを用いているか又は図３に示すごとく透明シート５と生地４との組み合わせからできている。中材２は変形パイプビーズで構成されている。側地１を透して見える中材２である変形パイプビーズのバラエテイに富んだ形態、色彩、図柄を昼夜楽しむことができる。更には透明シートと繊維製品である生地との組み合わせによる側地１を作成し、側地１に吸湿性を付与すると共に、透かし見る楽しみと遊びを含めたファッション性を与えるよう設計している。従来の枕には見られない視覚的遊びの感覚を中心にしたスケルトン枕兼クッションを考案した。
【０００６】  本考案の中材２として用いる変形パイプビーズは図２に示すごとくポリエチレン、ポリエステル等のチップから成型製造されるビーズであり、標準タイプとして長さ１１ｍｍ径１１ｍｍの球状であるが、サイズは大小数種類がある。変形パイプビーズは山一（株）が実用新案登録（登録番号第２５１６４４９）している枕の中材２であり、コルマビーズと称しているが、球状であるため体圧分散に優れ、フィット感が良い等、従来の中材２にない特徴を持っている。この変形パイプビーズ（コルマビーズ）に着色または図柄をプリントして色彩の華やかさを演出し、更に夜間においても蛍光又は発光作用により、幻想的なイメージを醸しだす工夫をしている。変形パイプビーズの中材２は蛍光剤又は蓄光剤を練り込み又は表面付着させて、更に顔料にて６色〜１０色に着色し又は図柄をプリントした高収縮フィルムをビーズに被覆して、加熱しビーズ表面に収縮付着させてプリント柄を作成する。着色した又はプリントしたビーズは等量又は各種の割合で混合して、スケルトン枕兼クッションの中材２として用いる。
【０００７】  透明度の高いシートからできている側地１又は透明度の高いシート５と生地４から出来ている側地１はスケルトン枕兼クッションとして夜間に照明によりビーズは蛍光を発し又は夜間無光の状況で蓄光を発して外部からビーズが透けて見えるような側地１になっている。側地１は透明度の高いフィルムであるため枕兼クッションの中材は透けてみえ、枕兼クッションのスケルトンが昼夜にかかわらずバラエテイに富んだビーズを透かし見ることができる。側地１が透明シート５のみで作られている枕兼クッションは枕又はクッションの寝具としての実用性よりは見る枕、見るクッションとしてインテリアにおける視覚的役割が大きい。全面透明シート５からなる枕及びクッションは実用的には頭部又は顔面等の肌接触部分に吸湿性の高い生地をセットして用いる。透明度の高いシート５と生地４の組み合わせの側地１では図３にしめすごとく、透明シート５と生地４を格子柄、水玉柄、斜線柄、縞柄等の柄を作り、透かし見る角度のバラエテイ化を図って遊び感覚の巾を広げると共に用いられる生地４には吸湿性を付与している。
【考案の効果】
【０００８】  ストレス、緊張感の解消により睡眠特に寝つきの改善又は睡眠の深化を目的にした本考案の枕兼クッションの効果はストレス負荷テストおよび睡眠テストによる医学的見地（長崎大学医学部にてテスト実施）から実施したＰＯＭＳ評価法（緊張・不安、抑うつ、怒り活気、疲労、混乱の６項目の気分状態を測定する方法）の結果、コントロール品に対して本考案スケルトン枕がストレスの緩和効果があり、優れているとの評価を得た。
【考案を実施するための最良の形態】
【０００９】  枕兼クッションの標準サイズは３５ｃｍ×５０ｃｍ×５ｃｍであり、中材２は６色に着色した変形パイプビーズ（コルマ）２を各色に等量１４０ｇを均一混入し、総量１０００ｇを透明フィルム側地１に充填する。着色はペールブルー、グリーン、紫、青、赤、ピンク、無色を選び、又は図柄をプリントした変形パイプビーズ（コルマ）２を選び、それぞれのビーズ２に蓄光剤又は蛍光剤を練り込み又は表面加工し、発光性又は蛍光性のある中材２とした。透明フィルムとして風合い及び透明度からも塩化ビニールシートを用い、熱シールにより側地１を作成。更に透明シートと皮膚の接触感覚及び吸湿性を改善するために吸湿性があるガーゼ、タオル調の生地又は不織布を側地１の頭部接触部分にセットする。更に透明シート５と生地４を組み合わせて格子柄、水玉柄等で作られる側地１は各柄を透して中材２を見ることができる。生地４は吸湿性のある綿、レーヨン等天然繊維で作られた生地を用いる。夜間点灯時は蛍光処理したビーズが蛍光発色し、夜間の無灯時は蓄光ビーズが発光する。蓄光は昼間の光吸収時間によって決められるが、十分な蓄光を行えば蓄光直後から８〜１０時間は発光することが出来る。昼間のみならず、夜間においてはビーズ各色が光を受けて鮮明な色彩を現出することが出来、従来の枕にはない遊び心を誘発する枕となる。
【実施例１】
【００１０】  本考案スケルトン枕兼クッション及びコントロールとして中材２が黒のみのスケルトン枕兼クッションを用い、被験者として２０歳代の男性及び女性各１名を用いた。被検者にストループカラーワードテストを３０分間行い、精神的ストレス負荷をかけた後、本考案スケルトン枕兼クッションで遊んでもらい、ストレスへの解消効果をＰＯＭＳ評価法（緊張・不安、抑うつ、怒り、活気、疲労、混乱の６項目の気分状態を測定する方法）で調べた。測定結果からストレスの解消について良好な効果を得られた。（長崎大学医学部にてテスト実施）
【図面の簡単な説明】
【００１１】
【図１】    「スケルトン（透明）枕全体及び中材ビーズを示した平面図である」
【図２】    「スケルトン（透明）枕全体を示した側面図である」
【図３】    「透明シートと生地を組み合わせた側地の柄を示した平面図である」
【符号の説明】
【００１２】１    側地
２    変形パイプ（コルマ）ビーズ中材
３    吸湿性生地
４    生地
５    透明シート
【図１】
0003113312.tif 000003
【図２】
0003113312.tif 000004
【図３】
0003113312.tif 000005
【手続補正書】
【提出日】平成17年3月25日(2005.3.25)
【手続補正１】
【補正対象書類名】明細書
【補正対象項目名】全文
【補正方法】変更
【補正の内容】
【考案の詳細な説明】
【技術分野】
【０００１】  掛け布団、敷き布団、シーツ、枕等の寝具分野及びカーテン、シーツ、マット、カーペット、クッション等のインテリア分野
【背景技術】
【０００２】  寝具及びインテリア分野のうち繊維製品を中心とした小物製品を対象とする技術分野であり、従来、数多の開発商品、新商品が生み出されている。機能性、ファッション性、使用感など多角的に商品化されている。枕及びクッションの側地、中材、形態から構成される製品の中でも視覚的に情趣を安定させる又は高揚させる機能を目的とした製品は少ない。現代のストレス社会では生活に精神的ゆとりをもたらすことは極めて重要なことである。枕及びクッションの固有の機能（寝心地、座り心地）という従来の商品的な角度から外れて、人の心を癒す視点から商品開発を推進することは時代の要請であるが、枕およびクッションの分野において、そのような視点から作られている商品は決して多いとは言えない。生活に直結した商品の問題点、欠点を解決する技術ではなく、人間の情感や心理的面の改善を指向する技術を背景とする。【０００３】  本考案に関して特許及び実用新案を検索した結果、類似又は該当する商品はみあたらなかった。
【考案の開示】
【考案が解決しようとする課題】
【０００４】  前述のごとく本考案は枕及びクッションに対し視覚的に人の心を癒すという視点から新商品の開発を進め、ストレスの解消、ゆとりある生活を追求することを目的にしている。特に一般家庭、ホテル、働く場において癒しの空間を作ることによって、如何に、より豊かな日常生活を送ることができるか、目的とする開発商品が物へのこだわりではなく、人の心又は情感にこだわることが本考案の課題である。本考案ではこの範疇に入る枕及びクッションを開発し、課題を解決しようと試みるものである。
【課題を解決する手段】
【０００５】  本考案は枕及びクッションに遊び心をもたらすことによって、心の癒しを与えることを目的にして開発されたものである。本考案の枕兼クッションは図１、図２に示すごとくに、側地１が透明なシート５のみを用いているか又は図３に示すごとく、透明シート５と生地４との組み合わせからできている。中材２は変形パイプビーズで構成されている。側地１を透かして見える中材２である変形パイプビーズのバラエテイに富んだ形態、色彩、図柄を昼夜楽しむことができる。更には透明シートと繊維製品である生地との組み合わせによる側地１を作成し、側地１に吸湿性を付与すると共に、透かし見る楽しみと遊びを含めたファッション性を与えるよう設計している。従来の枕には見られない視覚的遊びの感覚を中心にしたスケルトン枕兼クッションを考案した。
【０００６】  本考案の中材２として用いる変形パイプビーズは図２に示すごとくポリエチレン、ポリエステル等のチップから成型製造されるビーズであり、標準タイプとして長さ１１ｍｍ径１１ｍｍの球殻状であるが、サイズは大小数種類がある。変形パイプビーズは球殻状であるため体圧分散に優れ、フィット感が良い等、従来の中材２にない特徴をもっている。この球殻状である変形パイプビーズに着色又は図柄をプリントして色彩の華やかさを演出し、更に夜間においても蛍光又は発光作用により、幻想的なイメージを醸しだす工夫をしている。変形パイプビーズの中材２に蛍光剤又は蓄光剤を練り込み又は表面加工して、更に顔料にて６色〜１０色に変形パイプビーズを着色し又は図柄をプリントした高収縮フィルムを変形パイプビーズに被覆して、加熱し、変形パイプビーズ表面に収縮付着させてプリント柄の変形パイプビーズを作成する。着色又はプリントした変形パイプビーズは等量又は各種の混合割合で混合して、スケルトン枕兼クッションの中材２として用いる。
【０００７】透明度の高いシートからできている側地１又は透明度の高いシート５と生地４からできている側地１はスケルトン枕兼クッションとして夜間に、照明によりビーズは蛍光を発し又は夜間無光の状況で蓄光を発して外部からビーズが透けて見えるような側地１になっている。側地１は透明度の高いフィルムであるため枕兼クッションの中材は透けて見え、枕兼クッションのスケルトンが昼夜にかかわらずバラエテイに富んだビーズを透かし見ることができる。側地１が透明シート５のみで作られている枕兼クッションは枕又はクッションの寝具としての実用性よりは見る枕、見るクッションとしてインテリアにおける視覚的役割が大きい。全面透明シート５からなる枕兼クッションは実用的には頭部及び顔面等の肌接触部分に吸湿性の高い生地をセットして用いる。透明度の高いシート５と生地４の組み合わせの側地１では図３に示すごとく、透明シートと生地４を格子柄、水玉柄、斜線柄、縞柄等の各種柄を作り、透かし見る角度のバラエテイ化を図って、遊び感覚の巾を広げると共に、用いられる生地４には吸湿性を付与して感触の改善をしている。
【考案の効果】
【０００８】  ストレス、緊張感の解消により睡眠特に寝つきの改善又は睡眠の深化を目的にした本考案の枕兼クッションの効果はストレス負荷及び睡眠テストによる医学的見地（長崎大学医学部にてテスト実施）から実施したＰＯＭＳ評価法（緊張・不安、抑うつ、怒り、活気、疲労、混乱の６項目の気分状態を測定する方法）の結果、コントロール品に対して本考案スケルトン枕兼クッションはストレスの緩和効果があり、優れているとの評価を得た。
【考案を実施するための最良の形態】
【０００９】  枕兼クッションの標準サイズはおよそ３５ｃｍ×５０ｃｍ×５ｃｍが中心であり、中材２は６色に着色した変形パイプビーズ２を各色とも等量１４０ｇを均一混合し、総量１０００ｇを透明フィルム側地１に充填する。着色はペールブルー、グリーン、紫、青、赤、ピンク、無色を選び、又は図柄をプリントした変形パイプビーズ２を選び、それぞれのビーズ２に蓄光材又は蛍光剤を練り込み又は表面加工し、発光性又は蛍光性のある中材２を用いた。透明フィルムとして風合い及び透明度からポリ塩化ビニールシートを用い、熱シールにより側地１を作成した。更に透明シートと皮膚との接触感覚及び吸湿性を改善するために吸湿性を有するガーゼ、タオル調の生地又は吸湿性がある不織布を側地１の頭部接触部分にセットする。更に透明シート５と生地４を組合わせて、格子柄、水玉柄等で作られる側地１は各柄を透かしてバラエテイに富む中材２を見ることができる。生地４は吸湿性を有する綿、レーヨン等天然繊維だ作られた生地４を用いる。夜間点灯時は蛍光処理した変形パイプビーズが蛍光発色し、夜間の無灯時においても蓄光変形パイプビーズが発光する。蓄光は昼間の光吸収時間によって決められるが、昼間に十分な蓄光を行えば蓄光直後から８〜１０時間は発光可能である。夜間の睡眠時のみならず、深夜無光時にも変形パイプビーズが光を受けて鮮明な色彩を現出し、光のない深夜においても変形パイプビーズから光を受けて色彩が浮かび上がる、従来の枕にはない遊び心を誘発する枕を提供する。
【実施例１】
【００１０】  本考案スケルトン枕兼クッション及びコントロールとして中材２が黒色の変形パイプビーズのみのスケルトン枕兼クッションを用い、被験者として２０歳代の男性及び女性各１名を用いた。被験者にストループカラーワードテストを３０分間行い、精神的ストレス負荷をかけた後、本考案スケルトン枕兼クッションで遊んでもらい、ストレスの解消効果をＰＯＭＳ評価法（緊張・不安、抑うつ、怒り、活気、疲労、混乱の６項目の気分状態を測定する方法）で調べた。測定結果からストレスの解消について良好な効果が得られたとの評価であった。（長崎大学医学部にてテスト及び評価実施）
【図面の簡単な説明】
【００１１】
【図１】    「スケルトン（透明）枕全体及び中材ビーズを示した平面図である」
【図２】    「スケルトン（透明）枕全体を示した側面図である」
【図３】    「透明シートと生地を組み合わせた側地の柄を示した平面図である」
【符号の説明】
【００１２】  １    側地
２    変形パイプビーズ中材
３    吸湿性生地
４    生地
５    透明シート